(57)【要約】      （修正有）【課題】片足跳躍具をデザイン的に審美なものとして長時間かつ長期間、飽きずに行えるようにする。【解決手段】遊戯者の左右のどちらか一方の足に引っ掛ける環状体１と、この環状体１の環状面に対して垂直となる方向に回転するように設けられた円盤状の円盤体２と、この円盤体２および環状体１を連結する棒状体３とから構成し、円盤体２の内側部に、機械的エネルギーを電気エネルギーに変換するダイナモと、このダイナモに接続され、円盤体２が棒状体３に対して回転したとき発光する発光ダイオードとを備えさせた片足跳躍具により、遊戯者が環状体１を片方の足に引っ掛けて円盤体２を振り回し、棒状体３が他方の足側に移動するタイミングを見計らって飛び跳ね続けたときに、円盤体２が地面に接触して発光ダイオードが発光するようにして、愉快感、満足感といった付加価値を付与する。【選択図】図１
2012170538.tif 000002
【特許請求の範囲】
【請求項１】
左右のどちらか一方の足に引っ掛ける環状体と、この環状体の環状面に対し垂直となる方向に回転するように設けられ、外側部が透明な円盤状の円盤体と、この円盤体および前記環状体を連結する棒状体とからなり、前記環状体を前記一方の足に引っ掛けるとともに前記棒状体を旋回させながら、他方の足で跳躍する片足跳躍具であって、
前記円盤体の内側部に、機械的エネルギーを電気エネルギーに変換する発電部と、この発電部に接続する発光素子とが備えられ、前記円盤体が前記棒状体に対して回転したときに前記発光素子が発光する、
ことを特徴とする片足跳躍具。
【請求項２】
前記環状体および前記棒状体が一体成型され、前記棒状体の端部を環状にすることで前記環状体が形成されるようにした、
ことを特徴とする請求項１に記載の片足跳躍具。
【発明の詳細な説明】
【技術分野】
【０００１】
本発明は、発光する回転体を備えた片足跳躍具に関する。
【背景技術】
【０００２】
下記特許文献１において、例えば、連結紐の両端を環状体および回転体にそれぞれ結んで連結させて構成され、環状体を片足に引っ掛け、この片足を中心に回転体を回転させつつ、環状体を引っ掛けていない片足で跳躍することで遊ぶ跳躍遊戯具に係る考案が提案されている。
【０００３】
この跳躍遊戯具の遊び方は、環状体を片方の足に掛けて回転体側を振り回すと、回転体が環状体を中心に遊戯者の周囲を回転するとともに遠心力で放射方向の力が働き、連結紐が引っ張られた状態で旋回するので、連結紐が他方の足側に移動してきたタイミングで飛び跳ねることにより、縄跳び遊びと同様な跳躍運動を行うというものである。連結紐が他方の足側に移動してきたタイミングでうまく飛び跳ね続けることができれば、連結紐は遊戯者の足に引っ掛かることなくその足下を通過して回転体が回転し続けるので、やはり縄跳び遊びのように跳躍運動を続けることができる。
【０００４】
上記考案（跳躍遊戯具）では、遊戯者の運動能力や好みにより、連結紐を係止するフック部を設けたり、収納部から引出して長くしたり、あるいは収納部内に収納して短くしたりすることにより、回転体の速度を自在に調節することができるとともに、長期に渡って飽きることなく使用することができるとしている。また、連結紐の長さを調節した後、紐の余った部分は邪魔にならないので、遊戯途中に余った紐に引っ掛かり、転倒したり遊戯の妨げとなることがないとしている。
【先行技術文献】
【特許文献】
【０００５】
【特許文献１】実公平８−７８７５号公報
【発明の概要】
【発明が解決しようとする課題】
【０００６】
しかし、連結紐の長さを調節することができるという理由だけで、遊戯者が跳躍遊戯具を使うことに飽きないというのは考えづらい。遊戯者を飽きさせないためには、例えば、愉快感、満足感といった新たな付加価値を付与したり、また、デザイン等で審美なものにしたりすることを考えていかなければならない。
【０００７】
本発明は、上記実情に鑑み提案され、片足に環状体を引っ掛けて、もう一方の足で跳躍することで遊ぶ、あるいは、片足に環状体を引っ掛けて、もう一方の足で跳躍することで運動不足の解消などの健康目的に用いる片足跳躍具に関し、新たな付加価値を付与した片足跳躍具を提供することを目的とする。
【課題を解決するための手段】
【０００８】
上記目的を達成するため、本発明は、左右のどちらか一方の足に引っ掛ける環状体と、この環状体の環状面に対し垂直となる方向に回転するように設けられ、外側部が透明な円盤状の円盤体と、この円盤体および前記環状体を連結する棒状体とからなり、前記環状体を前記一方の足に引っ掛けるとともに前記棒状体を旋回させながら、他方の足で跳躍する片足跳躍具であって、前記円盤体の内側部に、機械的エネルギーを電気エネルギーに変換する発電部と、この発電部に接続する発光素子とが備えられ、前記円盤体が前記棒状体に対して回転したときに前記発光素子が発光することを特徴とする。
【０００９】
特に、上記片足跳躍具は、環状体および棒状体が一体成型され、棒状体の端部を環状にすることで環状体が形成されるようにすることが好ましい。なお、環状体がクッション部材により覆われていてもよい。
【発明の効果】
【００１０】
本発明では、左右のどちらか一方の足に引っ掛ける環状体と、この環状体の環状面に対し垂直となる方向に回転するように設けられた円盤状の円盤体と、この円盤体および環状体を連結する棒状体とからなり、環状体を一方の足に引っ掛けるとともに棒状体を旋回させながら、他方の足で跳躍する片足跳躍具において、円盤体の内部に、機械的エネルギーを電気エネルギーに変換する発電部とともに、この発電部に接続する発光素子とを備えて構成し、円盤体が棒状体に対して回転したときに発光素子が発光するようにした。これにより、環状体を一方の足に引っ掛けるとともに棒状体を旋回させながら、他方の足で跳躍する遊び又は運動をしたとき、円盤体が地面に接触するなどして円盤体が棒状体に対して回転し、発光素子が発光する仕組みを構築することができる。本発明では、発光素子が発光することで、使用者に面白い、楽しいといった愉快感を付与することができるので、上記遊び又は運動を長期間楽しませることができる。
【００１１】
さらに本発明では、発光素子を複数備えて、それぞれが異なる色を発光するようにすれば、発光する色を虹色のように認識させるなどにより、面白い、楽しいといった愉快感をより大きく付与することができ、デザイン的にも審美なものとすることができる。したがって、新たな付加価値を付与した片足跳躍具として提供することが可能になる。
【００１２】
特に、上記環状体および棒状体が一体成型され、棒状体の端部を環状にして環状体が形成されるようにすれば、円盤体と棒状体との２部品から製造することができ、容易な製造を促すことができるし、環状体をクッション部材により覆う構成とすれば、環状体を引っ掛ける足への負担が軽減され、上記遊び又は運動を長時間楽しむことができるほか、痛みなど飽きがくる要因の１つを排除することもできる。
【図面の簡単な説明】
【００１３】
【図１】本発明に係る片足跳躍具の全体を示す正面図である。
【図２】本発明に係る片足跳躍具の全体を示す右側面図である。
【図３】本発明に係る片足跳躍具の円盤体の外観を示す拡大図である。
【図４】本発明に係る片足跳躍具の円盤体の外観を示す他の拡大図である。
【図５】図４のＶ−Ｖ線で断面にして現した断面説明図である。
【図６】本発明に係る片足跳躍具の使用形態を説明する説明図である。
【発明を実施するための形態】
【００１４】
以下、本発明に係る片足跳躍具に関し、一実施形態を図面とともに説明する。
【００１５】
片足跳躍具は、図１および図２に示すように、遊戯者の左右のどちらか一方の足に引っ掛ける環状体１と、この環状体１の環状面に対して垂直となる方向に回転するように設けられた円盤状の円盤体２と、この円盤体２および環状体１を連結する棒状体３とから構成されている。
【００１６】
具体的には、環状体１は、遊戯者の右のどちらか一方の足に引っ掛けられる大きさの内径を有する環状に形成されている。また、環状体１は、遊戯者の足への負担を軽減するため、発泡体等により形成したクッション部材１１で覆われている。
【００１７】
円盤体２は、図３に示すように、外側部２１と内側部２２とからなり、図４に示すように、円盤体２の内側部２２には、発電部と、この発電部に接続する発光素子とが備えられている。発電部は、例えば、いわゆるダイナモ２２１であり、円盤体２の回転に伴って回転することなく独立している軸部２２１ａと、この軸部２２１ａの周りに配設されて円盤体２の回転に伴って回転することがないフェライト磁石２２１ｂと、このフェライト磁石２２１ｂの周りに配設され、円盤体２の回転とともに回転するコイルおよび鉄心２２１ｃとで構成されている。ダイナモ２２１は、円盤体２が棒状体３に対して回転したとき、電磁誘導により機械的エネルギーを電気エネルギーに変換するものである。
【００１８】
また、発光ダイオード２２２は、円盤体２が棒状体３に対して回転したとき、その機械的エネルギー（回転エネルギー）がダイナモ２２１によって電気エネルギーに変換されることにより発光する。なお、円盤体２の内側部２２には、回転がスムーズに行われるようにベアリング２２３が、ダイナモ２２１を挟んで配設されている。
【００１９】
ここで、環状体１、円盤体２のダイナモ２２１、発光ダイオード２２２を除いた部分、棒状体３はそれぞれ、例えば、合成樹脂によって成形することができる。特に、その成形時には、環状体１および棒状体３の内部を中空として軽量化を図ることが好ましい。また、円盤体２の外側部２１には、発光ダイオード２２２の発光が効率的に遊戯者に認識されるように、透明な或いは透明度の高い合成樹脂、例えば、アクリル樹脂、シリコン樹脂などを採用することが好ましい。このほか、本発明に係る片足跳躍具では、容易な製造を実現するため、環状体１および棒状体３を一体成型し、棒状体３の端部を環状にして環状体１を形成するようにしてもよい。
【００２０】
なお、本実施形態では、図３に示すように、円盤体２に９０°の間隔で４つの発光ダイオード２２２が設けられているが、この４つの発光ダイオード２２２は、それぞれが青、赤、黄、緑など異なる色で発光する。したがって、円盤体２が回転して発光ダイオード２２２が発光するようになると、遊戯者には円盤体２が、まるで虹色に発光しているように認識されるものである。
【００２１】
以下、図５とともに、本実施形態における片足跳躍具の使用形態を説明する。
【００２２】
遊戯者ａはまず、環状体１を片方の足に掛けて円盤体２を振り回す。そうすると、図５に示すように、円盤体２に対して遠心力で放射方向の力が働き、その遠心力で棒状体３が旋回するようになる。この状態で、棒状体３が他方の足側に移動するタイミングを見計らって飛び跳ねると、遊戯者ａは、棒状体３に引っ掛からずに、棒状体３を継続して旋回させることができる。すなわち遊戯者ａは、棒状体３が他方の足側に移動してきたタイミングでうまく飛び跳ね続けることができれば、棒状体３は旋回し続けるので、縄跳び遊びのような跳躍運動を行うことができる。
【００２３】
さらに、棒状体３を旋回させている状態において、円盤体２は、その外側部２１が地面などに接触するときがある。このとき、円盤体２は、棒状体３に対し垂直の方向に回転するように設けられ、その回転方向と円盤体２及び棒状体３の旋回方向が一致するため、地面との摩擦によって回転することになる。円盤体２が回転すると、その機械的エネルギー（回転エネルギー）がダイナモ２２１によって電気エネルギーに変換され、発光ダイオード２２２が発光する。特に、円盤体２の発光ダイオード２２２は９０°間隔で４つ設けられていて、各々青、赤、黄、緑など異なる色で発光するので、遊戯者ａには、円盤体２が虹色に発光しているように認識される。特に、遊戯者ａの能力が上がり、うまく飛び跳ね続けるようになれば、棒状体３は旋回し続け、発光ダイオード２２２が発光する回数も増えるために、愉快感、満足感といった感覚をより一層与えられるようになる。また、虹色にて発光している様子はデザイン的にも審美である。
【００２４】
このように、本実施形態に係る片足跳躍具は、環状体１を片方の足に引っ掛けるとともに棒状体３を旋回させながら、他方の足で跳躍する縄跳び遊びのような跳躍運動を行うことができるとともに、円盤体２の発光ダイオード２２２によって、遊戯者ａに虹色の発光を認識させて、愉快感、満足感といった付加価値を付与することができる。遊戯者ａの能力が上がり、うまく飛び跳ね続けるようになれば、棒状体３は旋回し続け、発光ダイオード２２２が発光する回数も増えるために、上記感覚がより一層盛り上がることも期待でき、飽きさせずに長期間楽しめる片足跳躍具として提供することができる。このほか、本実施形態に係る片足跳躍具は、環状体１がクッション部材１１により覆われているので、環状体１を引っ掛ける足への負担が軽減され、長時間でも楽しむことができ、痛みなど飽きがくる要因の１つを排除することもできる。
【００２５】
なお、本実施形態に係る片足跳躍具は、子どもの遊戯用のほか、大人の運動不足の解消、健康維持のための用途等に適している。
【００２６】
以上、本発明の一実施形態を例示して詳述したが、本発明は上記実施形態に限定されるものではない。そして本発明は、特許請求の範囲に記載された事項を逸脱することがなければ、種々の設計変更を行うことが可能である。
【００２７】
例えば、本発明に係る片足跳躍具の材質については、所望の強度を有するものであれば、上述した合成樹脂に限らず、質感、量感等を考慮して各種のものを採用することができる。例えば、棒状体を軟質の合成樹脂等で形成することにより、棒状体に柔軟性を持たせて、縄のような撓るものとすることができ、この場合も環状体および棒状体を一体成型することもできる。なお、片足跳躍具の成形手段については、環状体および棒状体の一体成型によるもの、環状体、棒状体、円盤体を別体で成型するもの、いずれも公知の手段により達成することが可能である。さらに、クッション部材についても、遊戯者の足への負担軽減につながるものであれば、発泡体に限らず適宜採用することができる。発光素子についても、複数備えて、虹色に認識させる方法のほか、蛍光色、単色による色の深みを認識させたりする等が考えられる。このように本発明に係る片足跳躍具は、特許請求の範囲に記載された事項を逸脱することなしに、バリエーションが相当数考えられるものである。
【符号の説明】
【００２８】
１・・・・環状体
２・・・・円盤体
２１・・・外側部
２２・・・内側部
２２１・・ダイナモ（発電部）
２２１ａ・軸部
２２１ｂ・フェライト磁石
２２１ｃ・コイルおよび鉄心
２２２・・発光ダイオード（発光素子）
２２３・・ベアリング
３・・・・棒状体
ａ・・・・遊戯者
【図１】
2012170538.tif 000003
【図２】
2012170538.tif 000004
【図３】
2012170538.tif 000005
【図４】
2012170538.tif 000006
【図５】
2012170538.tif 000007
【図６】
2012170538.tif 000008